(57)【要約】【課題】帆立貝の収穫時における帆立貝のロープからの扱き離脱時に、同時に係止ピンをロープから離脱除去可能とするとともに、ロープへの係止ピン打ち込み時に、打ち込みが円滑、確実に行える帆立貝の係止ピンを提供する。【解決手段】係止ピン１のロープ抜止片６，６間の外周に、育成中の帆立貝の重さよりも大きい力が係止ピンに掛かった時に破断する脆弱部７を一つ又は複数有し、脆弱部は、軸部２（５）の一般部５１よりも断面積が小さい部位で形成し、小さい部位は、軸部の一般部と一体の中心部７１と、中心部から放射状に延び、軸部の一般部に連なる一体の複数の放射壁部７４…とからなる帆立貝養殖用の係止ピン。【選択図】図２
0003192063.tif 000002
【実用新案登録請求の範囲】
【請求項１】
軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、
前記係止ピンの前記ロープ抜止片間の外周には、育成中の帆立貝の重さよりも大きい力が、該係止ピンに掛かった時に破断する脆弱部を一つ又は複数有し、
前記脆弱部は、前記軸部の一般部よりも断面積が小さい部位で形成し、
前記小さい部位は、軸部の一般部と一体の中心部と、この中心部に一体に形成され、中心部から放射状に延び、軸部の一般部に連なる一体の複数の放射壁部とからなる、
ことを特徴とする帆立貝養殖用の係止ピン。
【請求項２】
軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、
前記係止ピンの前記ロープ抜止片間の外周には、育成中の帆立貝の重さよりも大きい力が、該係止ピンに掛かった時に破断する脆弱部を一つ又は複数有し、
前記脆弱部は、前記軸部の一般部よりも断面積が小さい部位で形成し、
前記小さい部位は、軸部の一般部と一体の中心部と、この中心部に一体に形成され、中心部から放射状に延び、軸部の一般部に連なる一体の複数の放射壁部とからなり、
前記放射壁部は、その外面が前記軸部の一般部の外周と一致する、
ことを特徴とする帆立貝養殖用の係止ピン。
【請求項３】
軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、
前記係止ピンの前記ロープ抜止片間の外周には、育成中の帆立貝の重さよりも大きい力が、該係止ピンに掛かった時に破断する脆弱部を一つ又は複数有し、
前記脆弱部は、前記軸部の一般部よりも断面積が小さい部位で形成し、
前記小さい部位は、軸部の一般部と一体の中心部と、この中心部に一体に形成され、中心部から放射状に延び、軸部の一般部に連なる一体の複数の放射壁部とからなり、
前記脆弱部は、１個の中心部と４枚の放射壁部とからなり、断面が十字形である、
ことを特徴とする帆立貝養殖用の係止ピン。
【請求項４】
軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、
前記係止ピンの前記ロープ抜止片間の外周には、育成中の帆立貝の重さよりも大きい力が、該係止ピンに掛かった時に破断する脆弱部を一つ又は複数有し、
前記脆弱部は、前記軸部の一般部よりも断面積が小さい部位で形成し、
前記小さい部位は、軸部の一般部と一体の中心部と、この中心部に一体に形成され、中心部から放射状に延び、軸部の一般部に連なる一体の複数の放射壁部とからなり、
前記脆弱部は、１個の中心部と３枚の放射壁部とからなり、断面がＹ字形である、
ことを特徴とする帆立貝養殖用の係止ピン。
【請求項５】
前記放射壁部は、その外面が前記軸部の一般部の外周と一致することを特徴とする請求項３又は４に記載の帆立貝養殖用の係止ピン。
【考案の詳細な説明】
【技術分野】
【０００１】
本考案は、帆立貝の吊り下げ養殖に用いる係止ピン改良に関するものである。
【背景技術】
【０００２】
ロープに係止ピンを介して帆立貝を係止、保持し、このロープを海中に垂らし、帆立貝を海中に吊り下げて養殖する帆立貝の垂下式養殖（耳吊り式養殖）は知られている（特許文献１参照）。
【先行技術文献】
【特許文献】
【０００３】
【特許文献１】特開２０１１−０８３２２１号公報
【考案の概要】
【考案が解決しようとする課題】
【０００４】
図１３〜図１６は、係止ピン及びこれを用いた帆立貝養殖の説明図である。
図１３は係止ピン１００を示し、係止ピン１００は、軸部１０１の両端部に先鋭な挿入部１０２，１０２を有し、挿入部１０２，１０２の軸方向内方部位に内方且つ径方向外方に傾斜突出する起立片からなる係止部１０３，１０３を有する。
軸部１０１の軸方向中間部１０５周には「ハ」字形に一対のロープ抜止片１０４，１０４を起設し、以上の係止ピン１００は樹脂、例えば６６ナイロンを用い、各部全一体に成形されている。
【０００５】
図１４は、ロープ１１０に係止ピン１００を介して帆立貝１２０を吊り下げ保持した状態を示し、図１４は要部の拡大図であり、図１５は全体図である。
ロープ１１０に、係止ピン１００を貫通孔１１１（取付孔）を介して長さ方向と直交する方向に貫通させて挿通する。
係止ピン１００の両端部（挿入部）１０２，１０２を帆立貝１２０，１２０の耳片１２１に形成した係止孔（耳吊り孔）を介して挿通し、係止部１０３，１０３で抜け止めされ保持され、図１４、図１５に示したように帆立貝１２０，１２０はロープ１１０の長さ方向に離間して貫通保持した係止ピン１００により、ロープ１１０に保持される。
【０００６】
図１４、図１５示したように、係止ピン１００は、軸部１０１の中間部１０５周に設けた抜止片１０４，１０４間にロープ１１０が位置し、抜止片１０４，１０４間の軸部中間部１０５がロープの貫通孔からなる掛止孔１１１に挿通しており、抜止片１０４，１０４で係止ピン１００のロープ１１０からの抜脱は阻止される。
ロープ１１０は、外径が例えば６〜８ｍｍであり、長さは例えば１０〜１５ｍであり、７〜８ｃｍ長の係止ピン１００…（…は複数を表す。以下同じ）を１０〜１３ｃｍピッチでロープに、その長さ方向に直交する方向に貫通・保持させ、各係止ピン１００…の両端部に帆立貝１２０の耳片を係止・保持する。
【０００７】
以上のように縦に帆立貝の稚貝を係止ピンを介してロープに保持させ、該ロープ海中に垂下して浸漬し、帆立貝の養殖を行う。養殖期間は１０ヶ月〜１２ヶ月である。
図１６は、図１５の状態から帆立貝１２０…が生育した状態を示しており、生育した帆立貝１２０…の重量もあって係止ピン１００はロープ１１０を中心として逆Ｕ字形に曲がり、係止ピン１００…は抜止片１０４，１０４でロープ１１０の掛止孔１１１から脱落しないように保持される。
【０００８】
図１７は帆立貝の収穫作業の一例を示す説明図である。
例えば生育後の帆立貝１２０…は、収穫船１３０上に水揚げされ、ロープ１１０から取り外され、収穫される。
海中に投入されているロープ１１０は、ガイドプーリ１３２を通ってモータで駆動される水揚げプーリ１３１（巻き揚げ機）で船上に引き上げられる。
【０００９】
ロープ１１０の引き上げに際し、プーリ１３１，１３２の間には、二股状、或いはＹ字形等の扱き部材１３３，１３３が配設されており、係止ピンで保持された帆立貝１２０を含むロープ１１０を、扱き部材１３３，１３３間を通す。
扱き部材１３３，１３３の二股状部材間には、図１８に示したように、ロープ１１０の外径よりも大きい隙間からなる狭隘部が設けられており、この狭隘部に水揚げプーリ１３１で引き上げられる係止ピン１００及び帆立貝１２０を含むロープ１１０を通す。
【００１０】
図１８は扱き部材１３３，１３３間をロープ１１０が通過し、扱かれる状態を示している。
生育後の帆立貝を吊り下げ、保持しているロープ１１０は、水揚げプーリ１３１の巻き上げ力で矢印のように引っ張られる。
扱き部材１３３，１３３間をロープ１１０が通過する際、ロープ１１０両側の扱き部材１３３，１３３の内側面に、ロープ１１０に係止ピン１００を介して保持されている帆立貝１２０，１２０が当接する。
帆立貝１２０，１２０の移動は、扱き部材１３３，１３３で阻止され、一方ロープ１１０は矢視印方向に移動し、係止ピン１００は残留し、係止ピン１００はロープ１１０の取付孔１１１に通っている軸部中間部１０５を含んで軸部１０１が引張され、延伸することとなる。
この状態を図１８で示した。
【００１１】
扱き部材１３３，１３３間で扱き部材１３３により帆立貝１２０，１２０の移動は阻止され、一方、ロープ１１０は移動し、残留する帆立貝１２０，１２０により係止ピン１００は引張、延伸し、最終的には係止ピン１００は弱い部分から破断する。
例えば図１９では、一方の係止部１０３の部分から帆立貝１２０は外れて離脱し、自由となり、収穫される。
他方の係止部は、この側の帆立貝とともにこの側の抜止片の手前から破断し、この側の帆立貝は離脱して自由となる。
【００１２】
以上のように水揚げに際し、扱き部材１３３，１３３間をロープ１１０が通る際、図１９で説明したように帆立貝１２０，１２０は扱き落とされるが、一方係止ピン１００は、抜止片１０４，１０４がロープ１１０の貫通孔１１１（取付孔）周辺部に引っ掛かり、ロープ１１０から抜脱するのが阻害される。
【００１３】
この結果、帆立貝１２０が離脱した後の係止ピン１００の一部は、ロープ１１０に残留することとなる。
図２０は、帆立貝が扱き落とされ、係止ピンが残留した帆立貝水揚げ後のロープを示した図である。
一本のロープに残留する係止ピンの数は、例えば１００本以上と極めて多数であり、ロープ１１０を再使用する際に、残留係止ピンは邪魔となり、これを一々除去する必要がある。
この係止ピンの除去作業に多大の労力と時間とを要する。
【００１４】
本考案は、帆立貝収穫後のロープに多数の係止ピンが残留すること、残留係止ピンの除去に多大の労力と時間を要することの上記した従来技術の課題を解決すべくなされたものである。
本考案は、帆立貝の収穫時における帆立貝のロープからの扱き離脱時に、帆立貝の掻き落とし離脱と同時に、係止ピンをロープから自動的に離脱除去可能とし、且つ係止ピンのロープへの挿通（ピン打ち）を容易、円滑、確実に行うことができる帆立貝の係止ピンを提供することを目的とする。
【課題を解決するための手段】
【００１５】
上記課題を解決するために請求項１に係る考案は、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンのロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなることを特徴とする。
【００１６】
請求項２に係る考案は、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンの前記ロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなり、放射壁部は、その外面が軸部の一般部の外周と一致することを特徴とする。
【００１７】
請求項３に係る考案は、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンのロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなり、該放射壁部は１個の中心部と４枚の放射壁部とからなり、断面が十字形であることを特徴とする。
【００１８】
請求項４に係る考案は、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンのロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなり、該放射壁部は、１個の中心部と３枚の放射壁部とからなり、断面がＹ字形であることを特徴とする。
【００１９】
請求項５に係る考案は、請求項３又は４において、放射壁部は、その外面が軸部の一般部の外周と一致することを特徴とする。
【考案の効果】
【００２０】
請求項１に係る考案では、係止ピンのロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなるので、先ず、係止ピンのロープ抜止片間の外周に育成中の帆立貝の重さよりも大きい力が係止ピンに掛かった時に破断する脆弱部を設けたので、帆立貝の水揚げ時に帆立貝に大きな力を作用させることで係止ピンは抜止片内側の脆弱部から切断され、帆立貝をロープから離脱させて収穫を円滑に行わせるとともに、係止ピンをロープから離脱させることができる。
【００２１】
特に本考案では、脆弱部を軸部の一般部よりも断面積が小さい部位で形成し、小さい部位は、軸部の一般部と一体の中心部と、中心部に一体に中心部から放射状に延び、軸部の一般部に連なる一体の複数の放射壁部を形成した。
複数の放射壁を設けたので、脆弱部は座屈し難くなり、ロープに穿孔し、穿孔部位に係止ピンを挿通するピン打ち込みに際し、係止ピンが脆弱部から折曲することなく、係止ピンのロープへの挿通（ピン打ち）を容易、円滑、確実に行うことができる。
【００２２】
請求項２に係る考案では、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンの前記ロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなり、放射壁部は、その外面が軸部の一般部の外周と一致するようにした。
請求項２では、係止ピンのロープ抜止片間の外周に育成中の帆立貝の重さよりも大きい力が係止ピンに掛かった時に破断する脆弱部を設けたので、帆立貝の水揚げ時に帆立貝に大きな力を作用させることで係止ピンは抜止片内側の脆弱部から切断され、帆立貝をロープから離脱させて収穫を円滑に行わせるとともに、係止ピンをロープから離脱させることができる。
また、脆弱部を軸部の一般部よりも断面積が小さい部位で形成し、小さい部位は、軸部の一般部と一体の中心部と、中心部に一体に中心部から放射状に延び、軸部の一般部に連なる一体の複数の放射壁部を形成した。
複数の放射壁を設けたので、脆弱部は座屈し難くなり、ロープに穿孔し、穿孔部位に係止ピンを挿通するピン打ち込みに際し、係止ピンが脆弱部から折曲することなく、係止ピンのロープへの挿通（ピン打ち）を容易、円滑、確実に行うことができる。
【００２３】
さらに、放射壁部は、その外面が軸部の一般部の外周と一致させた。仮に、放射壁部の外面を一般部の外周より突出させると、脆弱部が座屈し難くなるものの、係止ピンをロープの挿通孔に挿通（ピン打ち）するときに脆弱部がより座屈し難くはなるものの、係止ピンを挿通するときに引っ掛かりが生じ、挿通作業に支障を来す。また、放射壁部の外面を一般部よりも窪ませると、挿通作業は容易化するものの、係止ピンは座屈し易くなる。
この点、本考案によれば、放射壁部の外面を軸部の一般部の外周と一致させたので、係止ピン挿通時に座屈し難く、挿通作業を円滑に行える。
【００２４】
請求項３に係る考案では、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンのロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなり、該放射壁部は１個の中心部と４枚の放射壁部とからなり、断面を十字形とした。
請求項３では係止ピンのロープ抜止片間の外周に育成中の帆立貝の重さよりも大きい力が係止ピンに掛かった時に破断する脆弱部を設けたので、帆立貝の水揚げ時に帆立貝に大きな力を作用させることで係止ピンは抜止片内側の脆弱部から切断され、帆立貝をロープから離脱させて収穫を円滑に行わせるとともに、係止ピンをロープから離脱させることができる。
また、脆弱部を軸部の一般部よりも断面積が小さい部位で形成し、小さい部位は、軸部の一般部と一体の中心部と、中心部に一体に中心部から放射状に延び、軸部の一般部に連なる一体の４枚の放射壁部を断面十字形に形成したので、脆弱部は座屈し難くなり、ロープに穿孔し、穿孔部位に係止ピンを挿通するピン打ち込みに際し、係止ピンが脆弱部から折曲することなく、係止ピンのロープへの挿通（ピン打ち）を容易、円滑、確実に行うことができる。
【００２５】
請求項４に係る考案では、軸部の両端部に帆立貝の耳片の耳吊り孔に挿入して係止する係止部を有し、軸部の中間部に一対のロープ抜止片を有し、各部全一体に樹脂で成形した帆立貝養殖用の係止ピンにおいて、係止ピンのロープ抜止片間の外周には、育成中の帆立貝の重さよりも大きい力が、該係止ピンに掛かった時に破断する脆弱部を一つ又は複数有し、脆弱部は、軸部の一般部よりも断面積が小さい部位で形成し、小さい部位は、軸部の一般部と一体の中心部と、この中心部に一体に形成され、中心部から放射状に延び、軸部の一般部に連なる一体の複数の放射壁部とからなり、該放射壁部は、１個の中心部と３枚の放射壁部とからなり、断面をＹ字形とした。
請求項４では、係止ピンのロープ抜止片間の外周に育成中の帆立貝の重さよりも大きい力が係止ピンに掛かった時に破断する脆弱部を設けたので、帆立貝の水揚げ時に帆立貝に大きな力を作用させることで係止ピンは抜止片内側の脆弱部から切断され、帆立貝をロープから離脱させて収穫を円滑に行わせるとともに、係止ピンをロープから離脱させることができる。
また、脆弱部を軸部の一般部よりも断面積が小さい部位で形成し、小さい部位は、軸部の一般部と一体の中心部と、中心部に一体に中心部から放射状に延び、軸部の一般部に連なる一体の３枚の放射壁部を断面Ｙ形に形成したので、脆弱部は座屈し難くなり、ロープに穿孔し、穿孔部位に係止ピンを挿通するピン打ち込みに際し、係止ピンが脆弱部から折曲することなく、係止ピンのロープへの挿通（ピン打ち）を容易、円滑、確実に行うことができる。
【００２６】
請求項５に係る考案では、請求項３又は４において、放射壁部は、その外面が軸部の一般部の外周と一致させたので、請求項３又は４の効果に加えるに、放射壁部は、その外面が軸部の一般部の外周と一致させた。仮に、放射壁部の外面を一般部の外周より突出させると、脆弱部が座屈し難くなるものの、係止ピンをロープの挿通孔に挿通（ピン打ち）するときに脆弱部がより座屈し難くはなるものの、係止ピンを挿通するときに引っ掛かりが生じ、挿通作業に支障を来す。また、放射壁部の外面を一般部よりも窪ませると、挿通作業は容易化するものの、係止ピンは座屈し易くなる。
この点、本考案によれば、放射壁部の外面を軸部の一般部の外周と一致させたので、係止ピン挿通時に座屈し難く、挿通作業を円滑に行える。
【図面の簡単な説明】
【００２７】
【図１】本考案に係る係止ピンの第１実施例の正面図である。
【図２】図１の要部の拡大図である。
【図３】図２の３−３線断面図である
【図４】ロープへの係止ピンの挿通作業の一例を示す図で、（ａ）は穿孔直前の状態を示す図、（ｂ）は穿孔後の状態を示す図、（ｃ）は係止ピンを挿入する直前の状態を示す図、（ｄ）は係止ピン挿入後の状態を示す図である。
【図５】係止ピンの両先部に帆立貝を係止、保持した状態を示す図である。
【図６】養殖した帆立貝の生育が進み、収穫が近い状態を示す図である。
【図７】帆立貝の収穫作業を示す説明図である。
【図８】扱き部材間をロープが通過し、扱かれる状態を示す図である。
【図９】係止ピンの脆弱部の切断状態を示す説明図である。
【図１０】本考案に係る係止ピンの第２実施例の正面図である。
【図１１】脆弱部の放射壁部の変更実施例を示す図３と同様の断面図である。
【図１２】脆弱部の放射壁部の他の変更実施例を示す図３と同様の断面図である。
【図１３】従来の係止ピンの正面図である。
【図１４】ロープに係止ピンを介して帆立貝を吊り下げ保持した状態を示す図で、要部の拡大図である。
【図１５】図１４の全体を示した図である。
【図１６】図１５の状態から帆立貝が生育した状態を示す図である。
【図１７】帆立貝の収穫作業の一例を示す説明図である。
【図１８】扱き部材間にロープを通過させ、扱く状態を示す図である。
【図１９】帆立貝が係止ピンから離脱し、ロープに係止ピンが残留する状態を説明する図である。
【図２０】ロープに係止ピンが残留した状態を示す図である。
【考案を実施するための形態】
【００２８】
本考案の実施の形態を添付図に基づいて以下に説明する。なお、図面は符号の向きに見るものとする。
図１は、本考案に係る係止ピンの第１実施例の正面図であり、図２は図１の要部の拡大図であり、図３は図２の３−３線断面図である。
【００２９】
係止ピン１は、丸棒状の軸部２の両端部を丸頭状とした尖鋭な挿入部３，３とし、両端部の挿入部３，３の軸方向内方部位に軸方向内方で対称的に上傾した係止片を突設し、係止部４，４を構成する。
軸部２の軸方向中間部５には、長さ方向に離間して一対の抜止片６，６（一対のロープ抜止片）を径方向外方に突設して備え、抜止片６，６は対称的に上傾し、実施例では「ハ」字形に配置される。
抜止片６，６の間隔は、後述するロープの外径と一致或いは略々一致するか、或いはこれより若干大きいものとする。
【００３０】
尚、抜止片６，６を実施例では「ハ」字形としたが、二つの抜止片を軸部２の中間部５の上下方向に突出するように設け、即ち一方が上方に突出し、他方が下方に突出し、突出方向は互いに軸方向内方に向くように斜めに向かい合うように設けることで抜け止め作用を保持させる構造でも良い。
【００３１】
以上の係止ピン１の軸部２の中間部５周であって、前記した抜止片６，６の基部６ａ，６ａに近い部位には脆弱部７を設ける。
脆弱部７は、後述の帆立貝を係止ピン１の両端の係止部４，４に係止、保持した状態で、且つ、育成中の帆立貝の重さ、従って生育後、収穫時における帆立貝の重さよりも大きい力が係止ピン１に掛かった際に破断するものとする。
【００３２】
本実施例では、軸部の中間部５周に、軸方向に離間して脆弱部７，７を２カ所設けた。軸方向に離間して設けた２カ所の脆弱部７，７は同じ構造である。
脆弱部７は、図２及び図３で示したように、軸部２の一般部である中間部５の断面積よりもその断面積が小さい。
脆弱部７を軸方向に挟んで軸方向に所定長さ離間した中間部５に連続する一般部５１，５１の間に断面積の小さい脆弱部７が設けられる。
【００３３】
脆弱部７は、一般部５１，５１間において軸方向中心部に向かって漸次径が小さくなり、中心部７１の径が最も小さく、中心部７１から一体に軸方向に延びる両側部７２，７２は、軸方向に離間した一般部５１，５１に向かって径が漸増し、軸方向に離間する両端部７３，７３で一般部５１，５１に合流し、連続する。
従って、断面積が小さい脆弱部７は、軸方向に離間した一般部５１の一方から中央部方向に円錐状部となり、円錐部が所定径となると中心部７１で逆円錐状部となって端部７３が一般部５１と合流する。
【００３４】
以上において、最も断面積が小さい中心部７１の外周及び中心部７１を挟んで円錐状、逆円錐状の両側部７２，７２の外周部には翼状の放射壁部７４を設ける。
実施例では４枚の放射壁部７４…を等角間隔（９０°）で径方向外方に翼状に設け、従って断面は図３に示したしたように十字形である。
放射壁部７４…は外面７５が軸部中間部５の一般部５１，５１の外周面５２と一致し、一般部５１，５１の端面、中心部７１の外周、両側部７２，７２の円錐状の外周面と連続し、中心部７１、両側部７２，７２、放射壁部７４…は、一般部５１，５１を含んで軸２の中間部５と全一体に形成されている。
【００３５】
以上の係止ピン１は、各部全一体に、例えば６６ナイロン等で成形する。
以上において、脆弱部７は軸部２の中間部５の断面積に対し断面積が小さいが、脆弱部７の中心部７１が最も断面積が小さく、一般部５１，５１の境界部から一般部５１，５１の端部に一体に繋がる両側部７２，７２は、円錐状、逆円錐状であり、その径とともに断面積が漸増し、放射壁部７４…によって軸方向への剛性が高くなり、軸方向の力に対して座屈し難くなる。
【００３６】
以上において、係止ピン１をロープ１０にその長さ方向に直交するように挿通する。
図４は、ロープ１０への係止ピンの挿通作業の一例を示す図で、（ａ）は穿孔直前の状態を示す図、（ｂ）は穿孔後の状態を示す図、（ｃ）は係止ピンを挿入する直前の状態を示す図、（ｄ）は係止ピン挿入後の状態を示す図である。
前述したがロープ１０は、外径が例えば６〜８ｍｍであり、長さは例えば１０〜１５ｍであり、７〜８ｃｍ長の係止ピン１…を１０〜１３ｃｍピッチでロープに、その長さ方向に直交する方向に貫通・保持させるものである。
【００３７】
ロープ１０に係止ピン１を通す挿通孔１１を穿設する。
挿通孔１１は、ロープ１０に長さ方向に直交するようにドリル１２で穿設し、挿通孔１１は係止ピン１が軽圧入程度で挿入し得る径とし、これらの穿孔は自動機で実施される。
図４の（ａ）は穿孔直前の状態を示し、（ｂ）は穿孔後、ドリル１２が後退している状態を示している。
【００３８】
挿通孔１１の穿孔後、係止ピン１を挿通孔１１に挿通する。係止ピン１の挿通孔１１への挿通は、自動機（ピン打機）により実施される。
係止ピン１は、挿通孔１１への挿通に際し、先部に係止部４Ａを有すること、進行方向に臨む抜止片６Ａを有し、これら４Ａ，６Ａは、挿通孔１１の径よりも大きく外方に突出していることから挿入時に抵抗となるが、係止部４Ａ、抜止片６Ａは係止ピンの挿入方向に対し順方向に傾斜しているので順方向に撓み、進入が容易になされる。
【００３９】
ところで、係止ピン１には、抜止片６，６の間で、軸部２の中間部５には脆弱部７、７が形成されている。係止ピン１のロープ１０の挿通孔１１への挿入に際し、軸周に突出した係止部４Ａ、抜止片６Ａの挿通孔１１への進入に際し抵抗となり、係止ピン１には軸方向への力が作用することとなる。この力は、脆弱部７，７にも作用し、脆弱部７，７を曲げようとしたりする。
【００４０】
軸部の一般部よりも断面積が小さい部位で形成された脆弱部７，７は、軸部の一般部５１，５１と一体の中心部７１と、この中心部７１に一体に形成された放射状に延びる一体の複数の放射壁部、実施例では十字形の放射壁部７４…とで構成されているので、脆弱部７，７の軸方向への剛性が向上し、係止ピン１の軸方向への力に対して極めて座屈し難くなる。
従って、係止ピン１をロープ１の挿通孔１１に挿入するに際し、ピン打機による自動ピン挿入作業時に、脆弱部７，７の部分で曲がったりすることなく、直線状態を保持して円滑に係止ピン１を挿通孔１１に挿入することができる。
従って、係止ピンを自動機を用いて、係止ピン１を曲げることなく、直線状態を維持して円滑、迅速に効率良くロープ１０の挿通孔１１に打ち込む（挿通）ことができる。
【００４１】
図４の（ｄ）は係止ピン１を挿通孔１１に挿通し、保持させた状態を示している。
係止ピン１の一対の抜止片６，６間の中間部５がロープ１の挿通孔１１に臨み、抜止片６，６は挿通孔１１の両開口部の外側に臨んでロープ１０の外周に位置し、挿通孔１１からの抜け出しを防止する。
係止ピン１の２カ所の脆弱部７，７は、前記した通り抜止片６，６の基部近傍で、抜止片６，６間に設けられているので、ロープ１０の挿通孔１１の開口部に極めて近い外側に
【００４２】
位置している。
図４（ｄ）は係止ピン１をロープ１０に挿通孔１１を介して挿通、保持させた状態を示しているが、併せて帆立貝の耳片に穿孔し、穿孔部（耳吊り孔）に係止ピン１の挿入部３を通し、係止部４を穿孔部を通して係止部の返し構造で係止ピン端部に係止、保持する。
【００４３】
図５は、係止ピン１の両先部に帆立貝２０，２０を係止、保持した状態を示す図であり、帆立貝２０，２０は耳片２１，２１の穿孔部を介して係止ピン１の両先部に係止されて吊り下げられ、穿孔部からの抜け出しは係止部４，４で阻止され、保持される。
このように多数の帆立貝２０…を係止ピン１…を介してロープ１０に係止、保持させ、ロープを海中に垂下し、帆立貝の耳吊り養殖を実施する。
【００４４】
ところで、実施例では、放射壁部７４…の外面７５を軸部２（その中間部５）の一般部５１の外周と一致させた。
仮に、放射壁部７４…の外面を７５一般部の外周５１よりも突出させたとしよう。
これによれば、脆弱部７は座屈し難くなるが、係止ピン１をロープ１０の挿通孔１１に挿通（ピン打ち）するときに脆弱部７がより座屈し難くはなる。しかしながら、係止ピン１を挿通孔１１に挿通する挿通孔１１に引っ掛かりが生じ、挿通作業に支障を来す。  一方、放射壁部７４…の外面７５を一般部５１よりも窪ませると、挿通孔１１への挿通作業は容易化するが、係止ピン１は座屈し易くなる。
この点、実施例のように放射壁部７４…の外面７５を軸部２の一般部５１の外周と一致させたので、係止ピン１のロープ１０の挿通孔１１への挿通時に座屈し難くなる。従って、係止ピンの挿通作業（ピン打ち作業）を円滑に行うことができる。
【００４５】
図６に示すように帆立貝は成長し、係止ピン１が延びてロープ１０の両側に垂れ下がっている。帆立貝２０，２０を係止保持した係止ピン１…は、夫々の抜止片６，６がロープからの抜け出しを阻止している。
ところで、生育が進み、収穫が近い状態では、帆立貝の外側やロープ外周にイガイ（ヒルガイ）、フジツボ、ホヤ等の付着物（雑物）が付着する。
図では理解の便のため、帆立貝やロープに付着する雑物を外した状態で示している。実際には、帆立貝の殻は雑物で膨れあがり、又ロープは雑物で本来の径よりも大径となっている。
【００４６】
次に帆立貝の収穫の一例を説明する。
図７は、帆立貝の収穫作業を示す説明図であり、生育後の帆立貝は、例えば、収穫船３０で水揚げされ、収穫される。
海中に投入されているロープ１０は、ガイドプーリ３２を通ってモータで駆動される水揚げプーリ３１（巻き揚げ機）で船上に引き上げられる。
ロープ１０の引き上げに際し、ロープに長さ方向に離間して配置されたプーリ３１，３２の間には、例えば二股状、或いはＹ字形等の扱き部材３３，３３が配設されている（図８参照）。
【００４７】
図では二股状の扱き部材を示し、ロープ１０をこの扱き部材３３，３３間に通し、水揚げプーリ３１でロープ１０を引張して、巻き上げる。
扱き部材３３，３３の二股状部材間には、ロープ１０の外径よりも大きい隙間からなる狭隘部が設けられており、この狭隘部に水揚げプーリ３１で引き上げられるロープ１０が通る。
【００４８】
図８は、扱き部材３３，３３間をロープ１０が通過し、扱かれる状態を示している。
生育後の帆立貝を吊り下げ、保持しているロープ１０は、水揚げプーリ３１の巻き上げ力で矢印のように引っ張られる。
扱き部材３３，３３間をロープ１０が通過する際、ロープ１０両側の扱き部材３３，３３の内側面にロープ１０に係止ピン１を介して保持された帆立貝２０，２０が当たる。
【００４９】
帆立貝２０，２０の矢印方向への移動は、扱き部材３３，３３で阻止され、係止ピン１は、ロープ１０の挿通孔１１に通っている軸部中間部５を含んでその軸部２が引張されることとなる。
この状態を図８で示した。
【００５０】
図９は、係止ピン１の脆弱部７，７の切断状態を示す説明図であり、ロープ１０の引張の継続で帆立貝２０，２０は扱き部材３３，３３で移動を阻止される。この結果、係止ピン１には帆立貝の重量以上の力が作用し、脆弱部７，７に作用することとなる。
この力は、軸部２の中間部５の挿通孔両端部に位置する係止ピン１の軸部の一般部よりも断面積が小さい脆弱部７，７を引き裂く方向に作用する。
引っ張り力の継続で脆弱部７、７は破断が開始し、抜止片６，６間の軸部の中間部５は、脆弱部７、７から二つの部分１Ａ．１Ｂに分断することとなる。
【００５１】
尚、係止ピン１の両端部の帆立貝２０，２０は、実際には外部に雑物が付着しており、夫々の重量が異なること、外形、外寸が異なることから左右の扱き部材３３，３３の一方にこの側の帆立貝が先行して扱かれることが多く、脆弱部７，７は、一方のみが他方に先行して破断する場合が通常であり、結果、脆弱部の一方が他方に先行して破断し、図９に示すように抜止片６，６間の軸部中間部５は一方の脆弱部から破断し、他方は繋がった状態となり、挿通孔１１から中間部５は抜け出すこととなる。
【００５２】
図１０は、本考案に係る係止ピンの第２実施例の正面図である。
本実施例は、基本構造が第１実施例と同じなので、同一部分には同一符号を付して詳細な説明は省略する。
本実施例では、前記した脆弱部７を中間部５の抜止片６，６間の長さ方向の中央部に１カ所設けたものである。
脆弱部７は、前記実施例と同様に小径部と複数枚、実施例１と同様に、例えば４枚の放射壁部からなり、断面は十字形である。
【００５３】
図１１は、脆弱部の放射壁部の変更実施例であり、本実施例では、図３と同様に脆弱部７０Ａの断面において、放射壁部７４Ａ…を等角度間隔をあけて３枚とし、断面Ｙ字形としたものである。
図１２は、脆弱部の放射壁部の更なる変更実施例であり、本実施例では、図３と同様に脆弱部７０Ｂの断面において、放射壁部７４Ｂ…を等角度間隔をあけて５枚とし、断面星形としたものである。
以上のように、放射壁部の数は任意であり、又放射壁部を含む脆弱部の断面形状は任意である。
【産業上の利用可能性】
【００５４】
本考案は、帆立貝の海中への垂下式の耳吊り養殖に利用することができる
【符号の説明】
【００５５】
１…係止ピン、２…軸部、  ３…先端挿入部、  ４…係止部、  ５…軸部中間部、  ５１…軸部の一般部、  ５２…一般部の外周面、  ６…抜止片、  ７…脆弱部、  ７１…中心部（小径部）、  ７４…放射壁部、  ７０Ａ…断面Ｙ字形の脆弱部、  ７５…放射壁部の外面、  １０…ロープ、  １１…挿通孔、  ２０…帆立貝。
【図１】
0003192063.tif 000003
【図２】
0003192063.tif 000004
【図３】
0003192063.tif 000005
【図４】
0003192063.tif 000006
【図５】
0003192063.tif 000007
【図６】
0003192063.tif 000008
【図７】
0003192063.tif 000009
【図８】
0003192063.tif 000010
【図９】
0003192063.tif 000011
【図１０】
0003192063.tif 000012
【図１１】
0003192063.tif 000013
【図１２】
0003192063.tif 000014
【図１３】
0003192063.tif 000015
【図１４】
0003192063.tif 000016
【図１５】
0003192063.tif 000017
【図１６】
0003192063.tif 000018
【図１７】
0003192063.tif 000019
【図１８】
0003192063.tif 000020
【図１９】
0003192063.tif 000021
【図２０】
0003192063.tif 000022